(57)【特許請求の範囲】
【請求項１】
室内機が取り付けられる第１の壁と、この第１の壁に交差し、前記室内機から導出される配管を挿通して室外へ導く貫通孔が形成された第２の壁とによって形成されるコーナーの近傍において、前記貫通孔から前記コーナーまで延びるように配置されるコーナー用化粧カバーであって、
前記貫通孔の周囲を覆う貫通孔カバー片と、前記配管のうち前記第２の壁に沿う部分を覆うコーナーカバー片とが、両者の長手方向の全長を調整可能に接続され、
前記貫通孔カバー片は、前記貫通孔に対向し、断面略コの字状で前記コーナー側が開放された形状を有する第１膨出部と、この第１膨出部の下端部の周縁から外側へ延びる第１フランジと、この第１フランジから前記第２の壁側へほぼ垂直に突出する第１縦壁部とを有し、前記第１縦壁部の裏面には、凹凸形状の係止部が、前記貫通孔カバー片および前記コーナーカバー片の長手方向に所定の長さにわたって形成され、
前記コーナーカバー片は、前記第１膨出部の内側に嵌合する断面略コの字状の第２膨出部と、この第２膨出部の下端部の周縁から外側へ延び、前記第１フランジの内側に嵌合する第２フランジと、この第２フランジから前記第２の壁側へほぼ垂直に突出し、前記第１縦壁部の内側に嵌合する第２縦壁部とを有し、前記第２縦壁部の表面には、前記係止部に嵌合して係止する被係止部が形成され、
前記貫通孔カバー片および前記コーナーカバー片は、当該貫通孔カバー片が当該コーナーカバー片の一部に外側から重なって前記被係止部が前記係止部に嵌合することにより、最短状態から最長状態までの任意の状態で互いに固定されるように構成され、
前記貫通孔カバー片および前記コーナーカバー片が最長状態で固定されたときに、前記被係止部が前記第１縦壁部に覆われて隠れるように構成されていることを特徴とするコーナー用化粧カバー。
【請求項２】
前記被係止部は、前記第２縦壁部の前記貫通孔カバー片側の端部近傍に設けられるとともに、前記第２フランジには、浮き上がり防止片が前記被係止部より先端側へ延びるように形成され、
前記貫通孔カバー片および前記コーナーカバー片が互いに固定されたときには、前記浮き上がり防止片が前記第１フランジの裏面に当たって当該貫通孔カバー片および当該コーナーカバー片の浮き上がりを防止するように構成されていることを特徴とする請求項１に記載のコーナー用化粧カバー。
【請求項３】
室内機が取り付けられる第１の壁と、この第１の壁に交差し、前記室内機から導出される配管を挿通して室外へ導く貫通孔が形成された第２の壁とによって形成されるコーナーの近傍において、前記貫通孔から前記コーナーまで延びるように配置されるコーナー用化粧カバーであって、
前記貫通孔の周囲を覆う貫通孔カバー片と、前記配管のうち前記第２の壁に沿う部分を覆うコーナーカバー片とが、両者の長手方向の全長を調整可能に接続され、
前記貫通孔カバー片は、前記貫通孔に対向し、断面略コの字状で前記コーナー側が開放された形状を有する第１膨出部と、この第１膨出部の下端部の周縁から外側へ延びる第１フランジと、この第１フランジから前記第２の壁側へほぼ垂直に突出する第１縦壁部とを有し、前記第１縦壁部の表面には、被係止部が形成され、
前記コーナーカバー片は、前記第１膨出部の外側に嵌合する断面略コの字状の第２膨出部と、この第２膨出部の下端部の周縁から外側へ延び、前記第１フランジの外側に嵌合する第２フランジと、この第２フランジから前記第２の壁側へほぼ垂直に突出し、前記第１縦壁部の外側に嵌合する第２縦壁部とを有し、前記第２縦壁部の裏面には、前記被係止部が嵌合して係止する凹凸形状の係止部が、前記貫通孔カバー片および前記コーナーカバー片の長手方向に所定の長さにわたって形成され、
前記貫通孔カバー片および前記コーナーカバー片は、当該貫通孔カバー片が当該コーナーカバー片の一部に内側から重なって前記被係止部が前記係止部に嵌合することにより、最短状態から最長状態までの任意の状態で互いに固定されるように構成され、
前記貫通孔カバー片および前記コーナーカバー片が最長状態で固定されたときに、前記被係止部が前記第２縦壁部に覆われて隠れるように構成されていることを特徴とするコーナー用化粧カバー。
【請求項４】
前記被係止部は、前記第１縦壁部の前記コーナーカバー片側の端部近傍に設けられるとともに、前記第１フランジには、浮き上がり防止片が前記被係止部より先端側へ延びるように形成され、
前記貫通孔カバー片および前記コーナーカバー片が互いに固定されたときには、前記浮き上がり防止片が前記第２フランジの裏面に当たって当該貫通孔カバー片および当該コーナーカバー片の浮き上がりを防止するように構成されていることを特徴とする請求項３に記載のコーナー用化粧カバー。
【請求項５】
前記貫通孔カバー片の裏面および前記コーナーカバー片の裏面には、一方に目盛が設けられるとともに、他方に指示手段が設けられ、
前記被係止部が前記係止部に嵌合したときに、前記目盛と前記指示手段とが協働して前記貫通孔カバー片および前記コーナーカバー片の長手方向の全長を示すように構成されていることを特徴とする請求項１乃至４のいずれかに記載のコーナー用化粧カバー。
【発明の詳細な説明】
【技術分野】
【０００１】
本発明は、２つの壁が互いに交差して形成されるコーナー（入隅であると出隅であるとを問わない。）の近傍に配置され、空調用配管、冷媒管、ドレン管など各種の配管を覆って保護するコーナー用化粧カバーに関するものである。
【背景技術】
【０００２】
従来、この種のコーナー用化粧カバーとしては、施工現場ごとに配管距離が異なる実状に対応すべく、配管距離に応じて全長を調整しうる伸縮式のコーナー用化粧カバーが提案されている（例えば、特許文献１参照）。この伸縮式のコーナー用化粧カバーでは、中間カバー体に端部カバー体が伸縮移動自在に外嵌装着され、両者の伸縮ガイド手段として、中間カバー体の表面にガイド溝が直線状に形成されるとともに、端部カバー体にガイド突起がガイド溝に沿って移動自在に嵌合するように形成されている。
【先行技術文献】
【特許文献】
【０００３】
【特許文献１】特開２００７−２６３２９１号公報（段落〔００２８〕〔００２９〕の欄、図７〜９）
【発明の概要】
【発明が解決しようとする課題】
【０００４】
しかしながら、このようなコーナー用化粧カバーでは、ガイド溝が中間カバー体の表面に設けられているため、最短状態の場合を除いて、ガイド溝が外部から見えてしまい、コーナー用化粧カバーの見栄えが悪くなるという課題がある。このことは、特にコーナー用化粧カバーが室内に設置される場合には、極めて重要な課題である。
【０００５】
本発明は、このような事情に鑑み、全長の長短にかかわらず見栄えを良くすることが可能なコーナー用化粧カバーを提供することを目的とする。
【課題を解決するための手段】
【０００６】
かかる目的を達成するため、請求項１に記載の発明は、室内機が取り付けられる第１の壁と、この第１の壁に交差し、前記室内機から導出される配管を挿通して室外へ導く貫通孔が形成された第２の壁とによって形成されるコーナーの近傍において、前記貫通孔から前記コーナーまで延びるように配置されるコーナー用化粧カバーであって、前記貫通孔の周囲を覆う貫通孔カバー片と、前記配管のうち前記第２の壁に沿う部分を覆うコーナーカバー片とが、両者の長手方向の全長を調整可能に接続され、前記貫通孔カバー片は、前記貫通孔に対向し、断面略コの字状で前記コーナー側が開放された形状を有する第１膨出部と、この第１膨出部の下端部の周縁から外側へ延びる第１フランジと、この第１フランジから前記第２の壁側へほぼ垂直に突出する第１縦壁部とを有し、前記第１縦壁部の裏面には、凹凸形状の係止部が、前記貫通孔カバー片および前記コーナーカバー片の長手方向に所定の長さにわたって形成され、前記コーナーカバー片は、前記第１膨出部の内側に嵌合する断面略コの字状の第２膨出部と、この第２膨出部の下端部の周縁から外側へ延び、前記第１フランジの内側に嵌合する第２フランジと、この第２フランジから前記第２の壁側へほぼ垂直に突出し、前記第１縦壁部の内側に嵌合する第２縦壁部とを有し、前記第２縦壁部の表面には、前記係止部に嵌合して係止する被係止部が形成され、前記貫通孔カバー片および前記コーナーカバー片は、当該貫通孔カバー片が当該コーナーカバー片の一部に外側から重なって前記被係止部が前記係止部に嵌合することにより、最短状態から最長状態までの任意の状態で互いに固定されるように構成され、前記貫通孔カバー片および前記コーナーカバー片が最長状態で固定されたときに、前記被係止部が前記第１縦壁部に覆われて隠れるように構成されているコーナー用化粧カバーとしたことを特徴とする。
【０００７】
また、請求項２に記載の発明は、請求項１に記載の構成に加え、前記被係止部は、前記第２縦壁部の前記貫通孔カバー片側の端部近傍に設けられるとともに、前記第２フランジには、浮き上がり防止片が前記被係止部より先端側へ延びるように形成され、前記貫通孔カバー片および前記コーナーカバー片が互いに固定されたときには、前記浮き上がり防止片が前記第１フランジの裏面に当たって当該貫通孔カバー片および当該コーナーカバー片の浮き上がりを防止するように構成されていることを特徴とする。
【０００８】
また、請求項３に記載の発明は、室内機が取り付けられる第１の壁と、この第１の壁に交差し、前記室内機から導出される配管を挿通して室外へ導く貫通孔が形成された第２の壁とによって形成されるコーナーの近傍において、前記貫通孔から前記コーナーまで延びるように配置されるコーナー用化粧カバーであって、前記貫通孔の周囲を覆う貫通孔カバー片と、前記配管のうち前記第２の壁に沿う部分を覆うコーナーカバー片とが、両者の長手方向の全長を調整可能に接続され、前記貫通孔カバー片は、前記貫通孔に対向し、断面略コの字状で前記コーナー側が開放された形状を有する第１膨出部と、この第１膨出部の下端部の周縁から外側へ延びる第１フランジと、この第１フランジから前記第２の壁側へほぼ垂直に突出する第１縦壁部とを有し、前記第１縦壁部の表面には、被係止部が形成され、前記コーナーカバー片は、前記第１膨出部の外側に嵌合する断面略コの字状の第２膨出部と、この第２膨出部の下端部の周縁から外側へ延び、前記第１フランジの外側に嵌合する第２フランジと、この第２フランジから前記第２の壁側へほぼ垂直に突出し、前記第１縦壁部の外側に嵌合する第２縦壁部とを有し、前記第２縦壁部の裏面には、前記被係止部が嵌合して係止する凹凸形状の係止部が、前記貫通孔カバー片および前記コーナーカバー片の長手方向に所定の長さにわたって形成され、前記貫通孔カバー片および前記コーナーカバー片は、当該貫通孔カバー片が当該コーナーカバー片の一部に内側から重なって前記被係止部が前記係止部に嵌合することにより、最短状態から最長状態までの任意の状態で互いに固定されるように構成され、前記貫通孔カバー片および前記コーナーカバー片が最長状態で固定されたときに、前記被係止部が前記第２縦壁部に覆われて隠れるように構成されているコーナー用化粧カバーとしたことを特徴とする。
【０００９】
また、請求項４に記載の発明は、請求項３に記載の構成に加え、前記被係止部は、前記第１縦壁部の前記コーナーカバー片側の端部近傍に設けられるとともに、前記第１フランジには、浮き上がり防止片が前記被係止部より先端側へ延びるように形成され、前記貫通孔カバー片および前記コーナーカバー片が互いに固定されたときには、前記浮き上がり防止片が前記第２フランジの裏面に当たって当該貫通孔カバー片および当該コーナーカバー片の浮き上がりを防止するように構成されていることを特徴とする。
【００１０】
さらに、請求項５に記載の発明は、請求項１乃至４のいずれかに記載の構成に加え、前記貫通孔カバー片の裏面および前記コーナーカバー片の裏面には、一方に目盛が設けられるとともに、他方に指示手段が設けられ、前記被係止部が前記係止部に嵌合したときに、前記目盛と前記指示手段とが協働して前記貫通孔カバー片および前記コーナーカバー片の長手方向の全長を示すように構成されていることを特徴とする。
【発明の効果】
【００１１】
請求項１に記載の発明によれば、貫通孔カバー片およびコーナーカバー片が最長状態で固定されたときに、被係止部が第１縦壁部に覆われて隠れるように構成されていることから、コーナー用化粧カバーが最短状態の場合のみならず、それ以外のいかなる状態の場合でも、被係止部が外部から見えてしまう事態を回避することができる。その結果、貫通孔カバー片およびコーナーカバー片の長手方向の全長の長短にかかわらず、コーナー用化粧カバーの見栄えを良くすることが可能となる。
【００１２】
請求項２に記載の発明によれば、貫通孔カバー片およびコーナーカバー片が互いに固定されたときに、第２フランジに設けられた浮き上がり防止片が第１フランジの裏面に当たることにより、貫通孔カバー片とコーナーカバー片との連結部位の浮き上がりを防止することができる。したがって、この点でもコーナー用化粧カバーの見栄えを良くすることが可能となる。
【００１３】
請求項３に記載の発明によれば、貫通孔カバー片およびコーナーカバー片が最長状態で固定されたときに、被係止部が第２縦壁部に覆われて隠れるように構成されていることから、コーナー用化粧カバーが最短状態の場合のみならず、それ以外のいかなる状態の場合でも、被係止部が外部から見えてしまう事態を回避することができる。その結果、貫通孔カバー片およびコーナーカバー片の長手方向の全長の長短にかかわらず、コーナー用化粧カバーの見栄えを良くすることが可能となる。
【００１４】
請求項４に記載の発明によれば、貫通孔カバー片およびコーナーカバー片が互いに固定されたときに、第１フランジに設けられた浮き上がり防止片が第２フランジの裏面に当たることにより、貫通孔カバー片とコーナーカバー片との連結部位の浮き上がりを防止することができる。したがって、この点でもコーナー用化粧カバーの見栄えを良くすることが可能となる。
【００１５】
請求項５に記載の発明によれば、目盛および指示手段により、貫通孔カバー片およびコーナーカバー片の長手方向の全長を容易に知ることができる。そのため、貫通孔カバー片およびコーナーカバー片の全長を迅速かつ正確に調整することができ、ひいてはコーナー用化粧カバーの施工を短時間で高精度に行うことが可能となる。
【図面の簡単な説明】
【００１６】
【図１】本発明の実施の形態１に係るコーナー用化粧カバーを示す斜視図である。
【図２】同実施の形態１に係るコーナー用化粧カバーの貫通孔カバー片を示す図であって、（ａ）はその正面図、（ｂ）はその平面図、（ｃ）はその底面図、（ｄ）はその右側面図、（ｅ）はその背面図である。
【図３】同実施の形態１に係るコーナー用化粧カバーのコーナーカバー片および取付ベースを示す図であって、（ａ）はその正面図、（ｂ）はその平面図、（ｃ）はその底面図、（ｄ）はその右側面図、（ｅ）はその背面図である。
【図４】同実施の形態１に係るコーナー用化粧カバーのコーナーカバー片に貫通孔カバー片を接続した第１の状態（最短状態と最長状態との間の状態）を示す図であって、（ａ）はその正面図、（ｂ）はその平面図、（ｃ）はその底面図、（ｄ）はその右側面図、（ｅ）はその背面図、（ｆ）は（ａ）のＦ−Ｆ線による断面図である。
【図５】同実施の形態１に係るコーナー用化粧カバーのコーナーカバー片に貫通孔カバー片を接続した第２の状態（最短状態）を示す図であって、（ａ）はその正面図、（ｂ）はその右側面図、（ｃ）はその背面図である。
【図６】同実施の形態１に係るコーナー用化粧カバーのコーナーカバー片に貫通孔カバー片を接続した第３の状態（最長状態）を示す図であって、（ａ）はその正面図、（ｂ）はその右側面図、（ｃ）はその背面図である。
【図７】同実施の形態１に係るコーナー用化粧カバーの施工状態を示す平面図である。
【図８】同実施の形態１に係るコーナー用化粧カバーに浮き上がり防止片が設けられていない場合に貫通孔カバー片およびコーナーカバー片の浮き上がりが発生する様子を示す図であって、（ａ）はコーナーカバー片の正面図、（ｂ）は貫通孔カバー片およびコーナーカバー片が浮き上がった状態の断面図である。
【図９】同実施の形態１に係るコーナー用化粧カバーに浮き上がり防止片が設けられている場合に貫通孔カバー片およびコーナーカバー片の浮き上がりが発生しない様子を示す図であって、（ａ）はコーナーカバー片の正面図、（ｂ）は貫通孔カバー片およびコーナーカバー片が浮き上がっていない状態の断面図である。
【発明を実施するための形態】
【００１７】
以下、本発明の実施の形態について説明する。
［発明の実施の形態１］
【００１８】
図１乃至図９には、本発明の実施の形態１を示す。
【００１９】
施工現場１０は、図７に示すように、第１の壁Ｗ１を有しており、第１の壁Ｗ１の内側（室内側）には室内機１１が取り付けられている。この第１の壁Ｗ１には、第２の壁Ｗ２が直交してコーナーＣを形成するように立設されており、第２の壁Ｗ２の外側（室外側）には室外機１２が設置されている。さらに、第２の壁Ｗ２には貫通孔１３が第２の壁Ｗ２を貫通するように形成されている。また、室内機１１と室外機１２との間には、両者を接続する配管１５が配設されており、この配管１５は、第１の壁Ｗ１および第２の壁Ｗ２の内面に沿ってから貫通孔１３を通って第２の壁Ｗ２の外面に至っている。そして、コーナーＣの近傍には、配管１５のうち、第１の壁Ｗ１の内面に沿う部分に、取付ベース６を介して配管カバー片４が取り付けられているとともに、第２の壁Ｗ２の内面に沿う部分に、実施の形態１に係るコーナー用化粧カバー１が取り付けられている。
【００２０】
このコーナー用化粧カバー１は、図１に示すように、貫通孔カバー片２、コーナーカバー片３および取付ベース５から構成されている。
【００２１】
この貫通孔カバー片２は、図１および図２に示すように、貫通孔１３に対向し、断面略コの字状でコーナーＣ側が開放された形状を有する第１膨出部２１と、この第１膨出部２１の下端部の周縁２１ａから外側へ延びる第１フランジ２２と、この第１フランジ２２から第２の壁Ｗ２側へほぼ垂直に突出する第１縦壁部２３とを有している。そして、第１膨出部２１の裏面には、図２（ｅ）に示すように、目盛１６が刻設されている。この目盛１６には、７種類の数値（２００ｍｍ、２１０ｍｍ、２２０ｍｍ、２３０ｍｍ、２４０ｍｍ、２５０ｍｍ、２６０ｍｍをそれぞれ意味する「２００」、「２１０」、「２２０」、「２３０」、「２４０」、「２５０」、「２６０」）が含まれている。また、第１縦壁部２３の裏面には、凹凸形状の左右一対の係止部７が、貫通孔カバー片２およびコーナーカバー片３の長手方向（矢印Ａ、Ｂ方向）に所定の長さにわたって形成されている。さらに、第１縦壁部２３の中央部（貫通孔カバー片２の先端部）には、図２に示すように、ねじ止め部２４が形成されている。
【００２２】
また、コーナーカバー片３は、図１および図３に示すように、第１膨出部２１の内側に嵌合する断面略コの字状の第２膨出部３１と、この第２膨出部３１の２つの下端部の周縁３１ａから外側へ延び、第１フランジ２２の内側に嵌合する左右一対の第２フランジ３２と、これらの第２フランジ３２から第２の壁Ｗ２側へほぼ垂直に突出し、第１縦壁部２３の内側に嵌合する左右一対の第２縦壁部３３と、第２膨出部３１の上端から第２の壁Ｗ２とは反対側へほぼ垂直に突出し、配管カバー片４の外側に嵌合する連結部３４とを有している。そして、第２膨出部３１の裏面には、図３（ｅ）に示すように、三角形の指示手段１７が刻設されている。また、第２縦壁部３３の表面には、図３（ｄ）、（ｅ）に示すように、貫通孔カバー片２側（図３（ｅ）上側）の端部近傍に、左右一対の係止部７に嵌合して係止する左右一対の被係止部８が形成されている。さらに、各第２フランジ３２にはそれぞれ、図３に示すように、浮き上がり防止片３６が各被係止部８より先端側（図３（ａ）上側）へ延びるように一体に形成されている。
【００２３】
ここで、貫通孔カバー片２およびコーナーカバー片３は、図４から図６までに示すように、両者の長手方向（矢印Ａ、Ｂ方向）の全長Ｌ２を調整可能に接続されており、貫通孔カバー片２がコーナーカバー片３の一部に外側から重なって被係止部８が係止部７に嵌合することにより、最短状態（図５に示す状態）から最長状態（図６に示す状態）までの任意の状態で互いに固定されるように構成されている。そして、図６に示すように、貫通孔カバー片２およびコーナーカバー片３が最長状態で固定されたときには、被係止部８が貫通孔カバー片２の第１縦壁部２３に覆われて隠れるように構成されている。
【００２４】
また、コーナーカバー片３には、図３に示すように、取付ベース５が着脱自在に取り付けられている。すなわち、コーナーカバー片３の第２膨出部３１の内面には左右二対の係止爪３５が形成されている。一方、取付ベース５は、平板状のベース本体５１と、このベース本体５１に形成された左右二対の係止孔５２とを有している。そして、コーナーカバー片３と取付ベース５とは、各係止爪３５が各係止孔５２に係合することにより、両者が互いに連結された状態になるとともに、各係止孔５２に対する各係止爪３５の係合が解除されることにより、両者の連結が解除された状態になる。なお、取付ベース５のベース本体５１のほぼ中央部には、図３（ｂ）、（ｃ）に示すように、ねじ止め部５３が形成されている。
【００２５】
さらに、このコーナー用化粧カバー１と室内機１１との間には、図７に示すように、取付ベース６が第１の壁Ｗ１に沿って設けられており、取付ベース６には配管カバー片４が着脱自在に取り付けられている。すなわち、配管カバー片４は、図１に示すように、断面略コの字状の第３膨出部４１と、この第３膨出部４１の下端部に形成された左右一対の係止爪４２とを有している。一方、取付ベース６は、断面略コの字状のベース本体６１と、このベース本体６１の上端部に形成された左右一対の係止溝６２とを有している。そして、配管カバー片４と取付ベース６とは、各係止爪４２が各係止溝６２に係合することにより、両者が互いに連結された状態になるとともに、各係止溝６２に対する各係止爪４２の係合が解除されることにより、両者の連結が解除された状態になる。なお、取付ベース６のベース本体６１には、図１に示すように、２個のねじ止め部６３が形成されている。
【００２６】
コーナー用化粧カバー１は以上のような構成を有するので、図１および図７に示すように、このコーナー用化粧カバー１をコーナーＣの近傍に施工する際には、次の手順による。
【００２７】
まず、カバー準備工程で、図７に示すように、第１の壁Ｗ１から貫通孔１３までの配管距離Ｌ１に応じて、貫通孔カバー片２およびコーナーカバー片３をその長手方向の全長Ｌ２がこの配管距離Ｌ１に対応するように互いに接続して固定することにより、貫通孔カバー片２およびコーナーカバー片３の長手方向の全長Ｌ２を調整する。
【００２８】
このとき、貫通孔カバー片２およびコーナーカバー片３を互いに接続すると、図４から図６までに示すように、そのときの長手方向の全長Ｌ２に対応した目盛１６上の数値（例えば、「２３０」や「２６０」など）を指示手段１７が指し示す。したがって、この指示手段１７が指し示す目盛１６上の数値を読み取ることにより、貫通孔カバー片２およびコーナーカバー片３の長手方向の全長Ｌ２を容易に知ることができる。そのため、貫通孔カバー片２およびコーナーカバー片３の長手方向の全長Ｌ２を迅速かつ正確に調整することができる。
【００２９】
次いで、ベース取付工程に移行し、第１の壁Ｗ１の所定の位置に取付ベース５、６をねじ止めする。それには、取付ベース５のねじ止め部５３に、ねじ（図示せず）を挿通して第１の壁Ｗ１にねじ込むとともに、取付ベース６の各ねじ止め部６３にそれぞれ、ねじ（図示せず）を挿通して第１の壁Ｗ１にねじ込む。
【００３０】
その後、配管工程に移行し、第１の壁Ｗ１および第２の壁Ｗ２に沿って配管１５を配設する。
【００３１】
次に、第１カバー取付工程に移行し、この配管１５の一部（第１の壁Ｗ１に沿う部分）を覆うように、配管カバー片４を取付ベース６に取り付ける。
【００３２】
次いで、第２カバー取付工程に移行し、この配管１５の一部（第２の壁Ｗ２に沿う部分）および貫通孔１３を覆うように、コーナーカバー片３を貫通孔カバー片２とともに取付ベース５に取り付ける。
【００３３】
最後に、カバー固定工程に移行し、この貫通孔カバー片２を第２の壁Ｗ２にねじ止めする。それには、貫通孔カバー片２のねじ止め部２４に、ねじ（図示せず）を挿通して第２の壁Ｗ２にねじ込む。
【００３４】
すると、コーナー用化粧カバー１が配管１５および貫通孔１３を覆う形でコーナーＣの近傍に配置された状態となり、ここでコーナー用化粧カバー１の施工が終了する。
【００３５】
このように、コーナー用化粧カバー１の施工に際しては、カバー準備工程において、第１の壁Ｗ１から貫通孔１３までの配管距離Ｌ１に応じて、コーナー用化粧カバー１の長さを迅速かつ正確に調整することができる。そのため、あらゆる施工現場において、コーナー用化粧カバー１の施工を短時間で高精度に行うことが可能となる。
【００３６】
また、第２カバー取付工程では、貫通孔カバー片２が既にコーナーカバー片３に固定された状態となっているので、コーナーカバー片３が取付ベース５に取り付けられた後に、貫通孔カバー片２がコーナーカバー片３に対して水平移動して長手方向の全長Ｌ２が変わったり、貫通孔カバー片２がコーナーカバー片３から脱落したりする不具合は生じない。したがって、コーナー用化粧カバー１の施工を円滑に行うことが可能となる。
【００３７】
さらに、カバー固定工程では、第１の壁Ｗ１およびおよび第２の壁Ｗ２に対して、コーナー用化粧カバー１が２点（ねじ止め部２４、ねじ止め部５３）のみで固定された状態となるが、上述したとおり、コーナーカバー片３には左右一対の浮き上がり防止片３６が設けられているため、以下に説明するように、貫通孔カバー片２とコーナーカバー片３との連結部位の浮き上がりを防止することができる。その結果、この連結部位に隙間が生じるような事態は発生せず、コーナー用化粧カバー１の見栄えを良くすることが可能となる。
【００３８】
すなわち、貫通孔カバー片２とコーナーカバー片３とは、被係止部８が係止部７に嵌合することによってのみ互いに固定された状態に過ぎない。したがって、仮に、図８（ａ）に示すように、コーナーカバー片３に浮き上がり防止片３６が設けられていないとすると、図８（ｂ）に示すように、例えば、コーナー用化粧カバー１内で配管１５が貫通孔カバー片２やコーナーカバー片３を手前側（矢印Ｄ方向）に押圧した場合には、貫通孔カバー片２がねじ止め部２４を中心として少し回転してしまうのを拘束することができない。そのため、貫通孔カバー片２とコーナーカバー片３との連結部位が手前側に浮き上がってしまう。
【００３９】
これに対して、図９（ａ）に示すように、コーナーカバー片３に浮き上がり防止片３６が設けられていると、図９（ｂ）に示すように、たとえコーナー用化粧カバー１内で配管１５が貫通孔カバー片２やコーナーカバー片３を手前側（矢印Ｄ方向）に押圧した場合でも、この浮き上がり防止片３６が貫通孔カバー片２の第１フランジ２２の裏面に当たることにより、貫通孔カバー片２がねじ止め部２４を中心として回転してしまうのを拘束することができる。その結果、貫通孔カバー片２とコーナーカバー片３との連結部位が手前側に浮き上がる事態を阻止することが可能となるのである。
【００４０】
そして、このようにして施工されたコーナー用化粧カバー１は、上述したとおり、貫通孔カバー片２およびコーナーカバー片３が最長状態で固定されたときには、被係止部８が貫通孔カバー片２の第１縦壁部２３に覆われて隠れるように構成されている。したがって、コーナー用化粧カバー１が最短状態の場合（図５参照）のみならず、それ以外のいかなる状態の場合（図４、図６参照）でも、被係止部８が外部から見えてしまう事態を回避することができる。その結果、貫通孔カバー片２およびコーナーカバー片３の長手方向の全長Ｌ２の長短にかかわらず、コーナー用化粧カバー１の見栄えを良くすることが可能となる。
【００４１】
また、このコーナー用化粧カバー１は、貫通孔カバー片２とコーナーカバー片３とが接続された状態では、貫通孔カバー片２およびコーナーカバー片３の長手方向の全長Ｌ２の長短を問わず、凹凸形状の左右一対の係止部７が外部に露呈しない。そのため、室内の塵埃がこれらの係止部７に溜まることを抑制し、コーナー用化粧カバー１全体を美麗に保つことが可能となる。
［発明の実施の形態２］
【００４２】
上述した実施の形態１では、貫通孔カバー片２がコーナーカバー片３の一部に外側から重なるコーナー用化粧カバー１について説明した。しかし、逆に、貫通孔カバー片２がコーナーカバー片３の一部に内側から重なるようにしても構わない。
【００４３】
この場合、コーナーカバー片３の第２縦壁部３３が貫通孔カバー片２の第１縦壁部２３の外側に嵌合することになるため、第２縦壁部３３の裏面に係止部７を形成するとともに、第１縦壁部２３の表面に被係止部８を形成するようにすればよい。
【００４４】
そして、貫通孔カバー片２およびコーナーカバー片３が最長状態で固定されたときに、被係止部８がコーナーカバー片３の第２縦壁部３３に覆われて隠れるように構成すれば、上述した実施の形態１と同様、コーナー用化粧カバー１が最短状態の場合のみならず、それ以外のいかなる状態の場合でも、被係止部８が外部から見えてしまう事態を回避することができる。その結果、貫通孔カバー片２およびコーナーカバー片３の長手方向の全長Ｌ２の長短にかかわらず、コーナー用化粧カバー１の見栄えを良くすることが可能となる。
【００４５】
また、第１フランジ２２に浮き上がり防止片（図示せず）を被係止部８より先端側へ延びるように設ければ、上述した実施の形態１と同様、貫通孔カバー片２およびコーナーカバー片３が互いに固定されたときに、この浮き上がり防止片がコーナーカバー片３の第２フランジ３２の裏面に当たることにより、貫通孔カバー片２とコーナーカバー片３との連結部位の浮き上がりを防止することができる。そのため、コーナー用化粧カバー１の見栄えを良くすることが可能となる。
［発明のその他の実施の形態］
【００４６】
なお、上述した実施の形態１、２では、貫通孔カバー片２の第１膨出部２１の裏面に目盛１６が設けられるとともに、コーナーカバー片３の第２膨出部３１の裏面に指示手段１７が設けられた場合について説明した。しかし、目盛１６および指示手段１７を設ける部位は、これに限るわけではない。例えば、貫通孔カバー片２の第１フランジ２２の裏面に目盛１６を設けるとともに、コーナーカバー片３の第２フランジ３２の裏面に指示手段１７を設けるようにしてもよい。また、目盛１６を設ける部位と指示手段１７を設ける部位とを逆にしても構わない。すなわち、貫通孔カバー片２の裏面に指示手段１７を設けるとともに、コーナーカバー片３の裏面に目盛１６を設けることも可能である。
【００４７】
また、上述した実施の形態１、２では、７種類の数値を含む目盛１６が貫通孔カバー片２に設けられた場合について説明したが、この数値は、７種類に限るわけではなく、何種類でも構わない。
【産業上の利用可能性】
【００４８】
本発明は、コーナーの近傍に配設される各種の配管（例えば、空調用配管、冷媒管、ドレン管、給水・給湯用の配管、電気配線、ガス配管、排水管など）を覆って保護するコーナー用化粧カバーに広く適用することができる。
【符号の説明】
【００４９】
１……コーナー用化粧カバー
２……貫通孔カバー片
３……コーナーカバー片
７……係止部
８……被係止部
１１……室内機
１３……貫通孔
１５……配管
１６……目盛
１７……指示手段
２１……第１膨出部
２１ａ……周縁
２２……第１フランジ
２３……第１縦壁部
３１……第２膨出部
３１ａ……周縁
３２……第２フランジ
３３……第２縦壁部
３６……浮き上がり防止片
Ｃ……コーナー
Ｌ２……全長
Ｗ１……第１の壁
Ｗ２……第２の壁
【図１】
0005727904.tif 000002
【図２】
0005727904.tif 000003
【図３】
0005727904.tif 000004
【図４】
0005727904.tif 000005
【図５】
0005727904.tif 000006
【図６】
0005727904.tif 000007
【図７】
0005727904.tif 000008
【図８】
0005727904.tif 000009
【図９】
0005727904.tif 000010